(57)【特許請求の範囲】
【請求項１】
浴槽の側壁に配置される固定フレームと、
前記固定フレームへスライド可能に取り付けられ、そして前記固定フレームと反対側の浴槽の側壁に配置される可動フレームと、
凹部又は凸部を含み、前記可動フレームの裏面に形成された第１の係合部と、そして、
凸部又は凹部を含み、前記第１の係合部と対向する位置に配置される第２の係合部と、
前記可動フレームの表面側に配置されて使用者が操作するための操作部と、
前記第２の係合部と前記操作部とを連結する連結部と、そして
前記第２の係合部を前記第１の係合部へ係合させるように付勢する付勢手段とを含み、
前記操作部が前記付勢手段による付勢に抗して可動フレームに向かって押し込まれることにより前記第２の係合部が前記第１の係合部から離間されるように構成された、前記固定フレームへ取り付けられたスライド係止／解除手段と、
少なくとも前記操作部が前記付勢手段に抗して押し込まれるときに前記第２の係合部が収容される室とを備える、浴槽用手摺り。
【請求項２】
前記第１の係合部の凹部又は凸部、および前記第２の係合部の凸部又は凹部には、前記可動フレームの後退を不可能にする鉛直面が形成されていることを特徴とする請求項１に記載の浴槽用手摺り。
【請求項３】
前記可動フレームは、表裏面を貫通してスライド方向に延びたスリットを備え、前記連結部は、前記スリットを通って前記第２の係合部と前記操作部とを連結していることを特徴とする請求項１に記載の浴槽用手摺り。
【請求項４】
前記スリットは、その周縁が閉じている開口であることを特徴とする請求項３に記載の浴槽用手摺り。
【請求項５】
前記可動フレームのスライド方向と平行に、且つ、前記可動フレームと摺接するように配置され、そして前記可動フレームのスライド方向を規制するための案内手段を備える、請求項１に記載の浴槽用手摺り。
【請求項６】
前記案内手段は、前記固定フレームとの間で前記可動フレームを挟み込む固定部を含むことを特徴とする、請求項５に記載の浴槽用手摺り。
【請求項７】
前記案内手段は、前記可動フレームをその両側面から挟み込むように少なくとも２以上配置されていることを特徴とする請求項５に記載の浴槽用手摺り。
【請求項８】
前記案内手段は、前記可動フレームとの摺接面に突起部又は溝部を備え、前記可動フレームは、前記案内手段との摺接面に溝部又は突起部を備えることを特徴とする請求項７に記載の浴槽用手摺り。
【請求項９】
前記案内手段は、前記案内手段の内部に前記可動フレームの表面と摺接する案内通路を備える筒体であることを特徴とする、請求項５に記載の浴槽用手摺り。
【請求項１０】
前記スライド係止／解除手段は、前記操作部と前記第２の係合部との間に、前記第２の係合部と前記第１の係合部との係合を固定化するロック部材をさらに含むことを特徴とする請求項１に記載の浴槽用手摺り。
【請求項１１】
前記ロック部材は、少なくとも前記操作部の押し込み可能ストロークに相当する厚みを有するロック部を含むことを特徴とする請求項１０に記載の浴槽用手摺り。
【請求項１２】
前記スライド係止／解除手段は、前記第２の係合部と摺接して第２の係合部の移動方向を規制する案内部材を備えていることを特徴とする請求項１に記載の浴槽用手摺り。
【請求項１３】
前記案内部材は棒形状であり、前記第２の係合部は前記案内部材を通過させる案内孔を有することを特徴とする請求項１２に記載の浴槽用手摺り。
【請求項１４】
前記可動フレームは、スライド方向に直交する方向に沿って前記第１の係合部を挟んで配置される可動側脚部を含み、
前記室は、前記可動フレームにおいて前記第１の係合部が形成されている面と、前記可動側脚部と、前記固定フレームにおいて前記第１の係合部に対向する面とによって囲まれている、請求項１に記載の浴槽用手摺り。
【請求項１５】
前記固定フレームは、スライド方向に直交する方向に沿って前記第１の係合部を挟んで配置される固定側脚部を含み、
前記室は、前記可動フレームにおいて前記第１の係合部が形成されている面と、前記固定側脚部と、前記固定フレームにおいて前記第１の係合部に対向する面とによって囲まれている、請求項１に記載の浴槽用手摺り。
【請求項１６】
前記固定フレームには、前記第２の係合部に対向する領域に凹部が形成され、
前記室は、少なくとも、前記可動フレームにおいて前記第１の係合部が形成されている面と、前記凹部の壁とによって囲まれている、請求項１に記載の浴槽用手摺り。
【発明の詳細な説明】
【技術分野】
【０００１】
本発明は、一般的には浴槽用手摺りに関し、特定的には、浴槽に着脱可能に取り付けられる浴槽用手摺りに関する。
【背景技術】
【０００２】
従来、浴槽の側壁に着脱可能に取り付けられる浴槽用手摺りがある。例えば、特開２０１１−１８９０６９号公報（特許文献１）には、浴槽の側壁の上端部に取り付けて使用される浴槽用手摺りが記載されている。この浴槽用手摺りは、浴槽の側壁の上端面と一方の側壁にそれぞれ対向するように配置される上片と縦片を設けて形成されており、手摺りを取り付けた本体具と、操作ハンドルの操作で浴槽の側壁の一方の側面に近接離反する方向で移動する押圧板を設けて形成される押圧受け具とを含む。押圧受け具の上端部には、水平方向に突出するスライドバーが設けられている。手摺りを取り付けた本体具の上面には、押圧板の移動方向と平行な方向に長い複数の補強リブが設けられている。補強リブの間において上辺の上面にはスライド溝が形成されている。スライド溝にスライドバーをスライド自在に差し込むと共に上片にスライドバーをビス止め固定することによって、本体具に押圧受け具を結合する。
【０００３】
また、例えば、特開２０１０−２４６６９１号公報（特許文献２）にも、浴槽の側壁の上端部に取り付けて使用される浴槽用手摺りが記載されている。この浴槽用手摺りを使用するときには、まず、側片が浴槽の外側に位置するように本体具を側壁の上端部に被せて配置し、押圧具の押圧板を側壁の浴槽外の面に、押圧受け具の押圧受け板を側壁の浴槽内の面に、それぞれ対向させる。そして一対の押圧受け具のスライド片を本体具の差込穴の奥へとスライドさせることによって、各押圧受け具の押圧受け板を移動させ、側壁の浴槽内の面に押圧受け板の滑り止めシートを貼った外面を当接させるものである。
【０００４】
特許文献２の浴槽用手摺りでは、押圧受け具のスライド片には係合溝が設けられ、本体具にはラッチ爪が設けられている。ラッチ爪は、スライド片に向かって付勢されて、係合溝と係合している。ラッチ爪にはスライド傾斜面が形成され、係合溝には傾斜面が形成されている。ラッチ爪のスライド傾斜面と係合溝の傾斜面とは、スライド片を差込穴の奥へスライドさせる方向で対面している。スライド片を差込穴の奥へ押し込む力をかけることによって、係合溝の傾斜面でラッチ爪のスライド傾斜面が押され、ラッチ爪が係合溝から抜ける。このためスライド片を差込穴の奥へ押し込む方向に力をかけることによって、大きな抵抗なく押圧受け具をスライドさせることができる。
【先行技術文献】
【特許文献】
【０００５】
【特許文献１】特開２０１１−１８９０６９号公報
【特許文献２】特開２０１０−２４６６９１号公報
【発明の概要】
【発明が解決しようとする課題】
【０００６】
しかしながら、特許文献１に記載の浴槽用手摺りでは、本体具の上面に押圧受け具を固定するときには、押圧受け具のスライドバーをビス止め固定しなくてはならず、浴槽用手摺りを浴槽の側壁の厚みに合わせて固定する作業が煩雑になる。
【０００７】
特許文献２に記載の浴槽用手摺りでは、ラッチ爪のスライド傾斜面に対向する傾斜面を有する係合溝が露出している。そのため、露出している係合溝に使用者が手をひっかけたり、本体部内にスライド片が収容されるときに、露出している係合溝と本体部の開口との間に使用者が手をつめてしまう場合がある。
【０００８】
そこで、この発明の目的は、浴槽の側壁の厚みに合わせて固定することが容易であって、浴槽の側壁への取り付け作業と浴槽の側壁からの取り外し作業とを安全に、容易に行うことが可能な浴槽用手摺りを提供することである。
【課題を解決するための手段】
【０００９】
本発明の浴槽用手摺りは、固定フレームと、可動フレームと、第１の係合部と、スライド係止／解除手段と、室とを備える。
【００１０】
固定フレームは、浴槽の側壁に配置される。可動フレームは、固定フレームへスライド可能に取り付けられ、そして固定フレームと反対側の浴槽の側壁に配置される。第１の係合部は、凹部又は凸部を含み、可動フレームの裏面に形成されている。
【００１１】
スライド係止／解除手段は、第２の係合部と、操作部と、連結部と、付勢手段とを含む。第２の係合部は、凸部又は凹部を含み、第１の係合部と対向する位置に配置される。操作部は、可動フレームの表面側に配置されて使用者が操作するためのものである。連結部は、第２の係合部と操作部とを連結するものである。付勢手段は、第２の係合部を第１の係合部へ係合させるように付勢するものである。スライド係止／解除手段は、操作部が付勢手段による付勢に抗して可動フレームに向かって押し込まれることにより第２の係合部が第１の係合部から離間されるように構成されている。スライド係止／解除手段は、固定フレームに取り付けられている。
【００１２】
室は、少なくとも、操作部が付勢手段に抗して押し込まれることにより第１の係合部から離間された第２の係合部が収容される空間である。
【００１３】
以下、可動フレームの裏面とは、可動フレームと固定フレームとを組み付けたときに外部に露出せず一般的に使用者が接触しない面、すなわち、可動フレームのうち、上述の室の境界面を形成する面をいう。可動フレームの表面とは、可動フレームの厚み方向において可動フレームの裏面と反対側の位置に形成されている面をいう。また、可動フレームが浴槽壁面に近付く方向に移動することを、可動フレームの前進といい、可動フレームが浴槽壁面から遠ざかる方向に移動することを、可動フレームの後退という。
【００１４】
上述のように、可動フレームの裏面には、凹部又は凸部を含む第１の係合部が形成されている。第１の係合部は、固定フレームに取り付けられるスライド係止／解除手段の第２の係合部に対向する。第２の係合部には凸部又は凹部が形成されている。
【００１５】
第２の係合部は、付勢手段によって、第１の係合部へ係合されるように付勢されている。使用者が操作部を操作して、付勢手段による付勢に抗してスライド係止／解除手段を押し込むと、第２の係合部が第１の係合部から離間される。第１の係合部から離間された第２の係合部は、室内に収容される。
【００１６】
スライド係止／解除手段の第２の係合部は、可動フレームの裏面と固定フレームとの間に配置されている。第２の係合部は、連結部によって可動フレームの表面側に配置された操作部と連結されているので、使用者は可動フレームの表面側から操作部を操作して、可動フレームの裏面側の第２の係合部を第１の係合部から離間することができる。このようにして、第１の係合部または第２の係合部に使用者が触れることを防ぐことができる。
【００１７】
第１の係合部の凹部又は凸部、および第２の係合部の凸部又は凹部には、可動フレームの後退を不可能にする鉛直面が形成されていることが好ましい。
【００１８】
可動フレームは、表裏面を貫通してスライド方向に延びたスリットを備えることが好ましい。また、連結部は、スリットを通って第２の係合部と操作部とを連結していることが好ましい。
【００１９】
スリットは、その周縁が閉じている開口であることが好ましい。
【００２０】
本発明の浴槽用手摺りは、案内手段を備えることが好ましい。案内手段は、可動フレームのスライド方向と平行に、且つ、可動フレームと摺接するように配置されるものである。そして可動フレームのスライド方向を一方向に規制するためのものである。
【００２１】
案内手段は、固定フレームとの間で可動フレームを挟み込む固定部を含むことが好ましい。また、案内手段は、可動フレームをその両側面から挟み込むように少なくとも２以上配置されていることが好ましい。案内手段は、さらに、可動フレームとの摺接面に突起部又は溝部を備え、可動フレームは、案内手段との摺接面に溝部又は突起部を備えることが好ましい。また、案内手段は、案内手段の内部に可動フレームの表面と摺接する案内通路を備える筒体であることが好ましい。
【００２２】
スライド係止／解除手段は、操作部と第２の係合部との間に、第２の係合部と第１の係合部との係合を固定化するロック部材をさらに含むことが好ましい。ロック部材は、少なくとも操作部の押し込み可能ストロークに相当する厚みを有するロック部を含むことが好ましい。
【００２３】
また、スライド係止／解除手段は、第２の係合部と摺接して第２の係合部の移動方向を規制する案内部材を備えることが好ましい。案内部材は棒形状であることが好ましい。また、第２の係合部は案内部材を通過させる案内孔を有することが好ましい。
【００２４】
可動フレームは、スライド方向に直交する方向に沿って第１の係合部を挟んで配置される可動側脚部を含むことが好ましい。室は、可動フレームにおいて第１の係合部が形成されている面と、可動側脚部と、固定フレームにおいて第１の係合部に対向する面とによって囲まれていることが好ましい。
【００２５】
固定フレームは、スライド方向に直交する方向に沿って第１の係合部を挟んで配置される固定側脚部を含むことが好ましい。室は、可動フレームにおいて第１の係合部が形成されている面と、固定側脚部と、固定フレームにおいて第１の係合部に対向する面とによって囲まれていることが好ましい。
【００２６】
固定フレームには、第２の係合部に対向する領域に凹部が形成されていることが好ましい。室は、少なくとも、可動フレームにおいて第１の係合部が形成されている面と、凹部の壁とによって囲まれていることが好ましい。
【発明の効果】
【００２７】
以上のように、この発明によれば、浴槽の側壁の厚みに合わせて固定することが容易であって、浴槽の側壁への取り付け作業と浴槽の側壁からの取り外し作業とを安全に、容易に行うことが可能な浴槽用手摺りを提供することができる。
【図面の簡単な説明】
【００２８】
【図１】本発明の第１実施形態の浴槽用手摺りの全体を示す斜視図である。
【図２】本発明の第１実施形態の浴槽用手摺りの本体カバーを外したときの固定フレームと可動フレームとスライド係止／解除手段の全体を示す斜視図である。
【図３】図２に示す固定フレームと可動フレームとスライド係止／解除手段の構成部材を示す分解斜視図である。
【図４】可動フレームの裏面を示す斜視図である。
【図５】第１実施形態の浴槽用手摺りの全体の断面を示す図である。
【図６】第１実施形態の浴槽用手摺りのスライド係止／解除手段の周辺の断面を拡大して示す図である。
【図７】第１実施形態の浴槽用手摺りを図２に示すＶＩＩ−ＶＩＩ線の方向から見た断面図である。
【図８】図６に示すスライド係止／解除部材において、係止を解除したときの状態を示す図である。
【図９】図６に示すスライド係止／解除部材において、操作部をロックしたときの状態を示す図である。
【図１０】本発明の第２実施形態の浴槽用手摺りについて、図７と同様の断面を示す図である。
【図１１】本発明の第３実施形態の浴槽用手摺りについて、図７と同様の断面を示す図である。
【図１２】本発明の第４実施形態の浴槽用手摺りについて、図７と同様の断面を示す図である。
【発明を実施するための形態】
【００２９】
以下、本発明の実施の形態を図面に基づいて説明する。
【００３０】
（第１実施形態）
図１に示すように、本発明の第１実施形態の浴槽用手摺り１は、主に、本体１００と、本体１００に支持される上部グリップ１０２とを備える。本体１００はカバー１０１に覆われている。カバー１０１の上面には、後に詳述する操作部１４３が露出している。本体１００は、固定フレーム１１０と可動フレーム１２０と、後述するスライド係止／解除手段とを含む。固定フレーム１１０には固定押圧板１０４とハンドルノブ１０７が取り付けられている。可動フレーム１２０には可動押圧板１０５と側部グリップ１６０が取り付けられている。固定押圧板１０４と可動押圧板１０５は、それぞれ、浴槽用手摺り１が浴槽の側壁に設置されたとき、浴槽の側壁に対向するように配置される。上部グリップ１０２は支柱１０３に固着されている。上部グリップ１０２は、支柱１０３の一部が本体１００内に収容されることによって、本体１００によって支持される。
【００３１】
図１から図３に示すように、固定フレーム１１０はＬ字形状に形成されており、水平部１１１と鉛直部１１２とを含む。本体１００が浴槽の側壁に取り付けられた状態で、水平部１１１は水平面内に延在し、鉛直部１１２は水平部１１１の端部から下向きに延びて、鉛直面内に延在する。フレーム支持部材１０６は、固定フレーム１１０の鉛直部１１２の外側面を覆うように取り付けられている。フレーム支持部材１０６には、上部グリップ１０２を収容する貫通孔が形成されている。固定押圧板１０４は、固定フレーム１１０の鉛直部１１２の内側面１１２ａから突出するように取り付けられている。ハンドルノブ１０７は、フレーム支持部材１０６に取り付けられている。ハンドルノブ１０７と固定押圧板１０４とはボルト軸によって連結されている。ハンドルノブ１０７を回動させることによって、ハンドルノブ１０７からボルト軸に回動力が伝達され、固定押圧板１０４平面に直交する方向に沿って、固定押圧板１０４が前進後退される。
【００３２】
固定フレーム１１０の水平部１１１の上面には４本の補強リブ１５１が形成されている。補強リブ１５１の上面には、固定プレート１５２が取り付けられている。補強リブ１５１は、固定押圧板１０４平面に直交する方向に沿って延びている。この実施形態においては、４本の補強リブ１５１は互いに平行に形成されている。固定プレート１５２は、板状に形成されており、４本の補強リブ１５１のうち、内側の２本の補強リブ１５１の間にわたされて、補強リブ１５１上に固定されている。補強リブ１５１によって、固定プレート１５２の下面と水平部１１１の上面とは離間されている。固定プレート１５２には、固定プレート１５２の上面と下面とを貫通する貫通孔１５３が形成されている。内側の２本の補強リブ１５１と固定プレート１５２は案内手段の一例である。
【００３３】
図１から図４に示すように、可動フレーム１２０はＬ字形状に形成されており、水平部１２１と鉛直部１２２とを含む。本体１００が浴槽の側壁に取り付けられた状態で、水平部１２１は水平面内に延在し、鉛直部１２２は水平部１２１の端部から下向きに延びて、鉛直面内に延在する。可動押圧板１０５は、可動フレーム１２０の鉛直部１２２の内側面１２２ａから突出するように可動フレーム１２０に取り付けられている。側部グリップ１６０は、可動フレーム１２０の鉛直部１２２の外側面１２２ｂから突出するように可動フレーム１２０に取り付けられている。可動フレーム１２０の水平部１２１には、スリット１２５が形成されている。スリット１２５は、水平部１２１の表面１２３と裏面１２４とを貫通する孔である。
【００３４】
可動フレーム１２０の水平部１２１の裏面１２４には、第１の係合部として帯歯１３０が形成されている。帯歯１３０の表面上には、複数の凹部と凸部として平行に並んだ多数の歯が形成されている。それぞれの歯は、可動フレームが延びる方向に直交する方向に沿って延びている。複数の歯は、可動フレームが延びる方向に沿って並べられている。帯歯１３０は、可動フレーム１２０の水平部１２１に直接、形成された凹凸や歯であってもよいし、可動フレーム１２０とは別個に形成され、水平部１２１の裏面１２４に取り付けられたものであってもよい。なお、複数の歯が並べられる間隔は特に限定されない。また、歯の幅（水平方向の長さや鉛直方向の厚み）も特に限定されない。
【００３５】
可動フレーム１２０の水平部１２１の裏面１２４からは２つの可動側脚部１２６が突出している。可動側脚部１２６は、水平部１２１において、鉛直部１２２の平面に直交する方向に沿って延びる端部を下向きに折り返したような形状に形成されている。２つの可動側脚部１２６は間隔を空けて形成され、それぞれ、鉛直部１２２に直交する方向に沿って、すなわち、水平部１２１が延びる方向に沿って延びている。
【００３６】
固定フレーム１１０と可動フレーム１２０は、固定押圧板１０４と可動押圧板１０５が浴槽の側壁（図示しない）を挟んで対向し、固定フレーム１１０の水平部１１１と可動フレーム１２０の水平部１２１が対向するように配置される。可動フレーム１２０の水平部１２１は、固定フレーム１１０の水平部１１１と固定プレート１５２との間に挿入されて、固定フレーム１１０の２本の補強リブ１５１の間でスライド可能に配置される。
【００３７】
スライド係止／解除手段１４０は、固定フレーム１１０の水平部１１１上に取り付けられている。スライド係止／解除手段１４０は、第２の係合部として複数の突起が形成された係合部材１４１と、係合部材１４１に連結される棒形状の連結部１４４と、連結部１４４において係合部材１４１の反対側に連結される操作部１４３と、操作部１４３を付勢する付勢部材としてバネ１４５と、係合部材１４１と操作部１４３との間に挿入されるロック部材１４６と、固定プレート１５２に取り付けられる案内部材としてガイド棒１４７を含む。
【００３８】
スライド係止／解除手段１４０を構成する部材は次のような位置関係に配置される。係合部材１４１が可動フレーム１２０の裏面１２４側に配置され、連結部１４４の下端が係合部材１４１に連結され、連結部１４４の上端が操作部１４３に連結される。係合部材１４１と操作部１４３との間には、固定プレート１５２とロック部材１４６とが挿入される。
【００３９】
ガイド棒１４７は固定プレート１５２の下面から下方向に延びている。ガイド棒１４７は可動フレーム１２０のスリット１２５を通っている。ガイド棒１４７の下端は固定フレーム１１０の水平部１１１の上面に取り付けられている。バネ１４５は固定フレーム１１０の水平部１１１上に設置された、中空のバネ保持体１４８内に保持されている。バネ保持体１４８は補強リブ１５１を挟んで係合部材１４１の両脇に配置されている。
【００４０】
係合部材１４１は、水平部１１１上の２本の補強リブ１５１の間において、可動フレーム１２０の帯歯１３０と対向する位置に配置される。係合部材１４１の上面、すなわち、帯歯１３０と対向する面には、この実施形態においては平面上に配置された複数の突起が形成されているが、複数の凹部と凸部とが平行に並んだ多数の歯が形成されていてもよく、この場合も帯歯１３０と同様に、歯の並べられる間隔や歯の幅は特に限定されない。それぞれの突起は、可動フレーム１２０が延びる方向に直交する方向に沿って延びている。複数の突起は、可動フレーム１２０が延びる方向に沿って並べられている。係合部材１４１には２つの案内孔１４２が形成されている。案内孔１４２にはガイド棒１４７が通されている。案内孔１４２の径はガイド棒１４７の径とほぼ等しく、ガイド棒１４７は案内孔１４２の周壁面に摺接する。
【００４１】
操作部１４３は可動フレーム１２０の水平部１２１の表面１２３側に配置される。操作部１４３は中央部１４３ａと２つの翼部１４３ｂとを有する。２つの翼部１４３ｂは、中央部１４３ａから、可動フレーム１２０が延びる方向に直交する方向に沿って延びる。２つの翼部１４３ｂは、それぞれ、バネ１４５によって下から上に向かって付勢されている。
【００４２】
ロック部材１４６は、外縁が略矩形の板状に形成されており、中央部分に中央開口部１４６ａが開口されている。ロック部材１４６は、相対的に厚みの大きいロック部１４６ｂと、相対的に厚みの小さいロック解除部１４６ｃとを有する。ロック部１４６ｂは、ロック解除部１４６ｃの上面から厚みＤだけ突出している部分である。
【００４３】
係合部材１４１に連結されている連結部１４４は、可動フレーム１２０のスリット１２５と固定プレート１５２の貫通孔１５３とロック部材１４６の中央開口部１４６ａとを通る。連結部１４４の上端は、操作部１４３の下面において中央部１４３ａに連結される。
【００４４】
図５と図６に示すように、固定フレーム１１０の水平部１１１上には可動フレーム１２０の水平部１２１がスライド可能に載せられている。可動フレーム１２０の上面の一部は固定プレート１５２によって覆われている。可動フレーム１２０は、固定プレート１５２と水平部１１１との間において、水平部１２１が延びる方向に沿ってスライド可能である。
【００４５】
可動フレーム１２０の帯歯１３０には、固定フレーム１１０の鉛直部１１２に近い側に傾斜面１３０ａが形成され、鉛直部１１２から遠い側に鉛直面１３０ｂが形成されている。係合部材１４１の突起には、可動フレーム１２０の鉛直部１２２に近い側に傾斜面１４１ａが形成され、鉛直部１２２から遠い側に鉛直面１４１ｂが形成されている。帯歯１３０の傾斜面１３０ａと係合部材１４１の突起の傾斜面１４１ａとが対向し、鉛直面１３０ｂと鉛直面１４１ｂとが対向している。
【００４６】
図７に示すように、補強リブ１５１と固定プレート１５２と固定フレーム１１０の水平部１１１とによって囲まれる空間内に可動フレーム１２０が配置されている。また、可動フレーム１２０の裏面１２４（水平部１２１の裏面と可動側脚部１２６の裏面とを含む）と固定フレーム１１０の水平部１１１とによって室１７０が形成されている。なお、室１７０の内部と外部とは連通されていてもよく、例えば、水平部１１１のうち係合部材１４１と対向する部分が開放されていてもよい。すなわち、室１７０としては、係合部材１４１が移動する側に空間があればよい。この実施形態においては、係合部材１４１の下面と水平部１１１の上面との間には間隔が空けられている。
【００４７】
図６と図７に示すように、使用者によって操作部１４３が操作されていないときには、バネ１４５が操作部１４３を下から上に向かって付勢する。このとき、連結部１４４を介して操作部１４３に連結されている係合部材１４１も下から上に向かって、すなわち、下から可動フレーム１２０の水平部１２１の裏面１２４の帯歯１３０に向かって付勢され、係合部材１４１と帯歯１３０とが係合する。係合部材１４１と帯歯１３０とが係合している状態では、可動フレーム１２０は、固定フレーム１１０から遠ざかる方向にスライドされないように固定フレーム１１０上に係止される。
【００４８】
図８に示すように、使用者が、バネ１４５の付勢に抗して操作部１４３を下方向に押し込むと、操作部１４３に連結されている係合部材１４１も下方向に移動し、係合部材１４１と帯歯１３０との係合が解除される。室１７０は、下方向に移動した係合部材１４１を収容することができるだけの広さを有する空間として形成されている。この実施形態において、操作部１４３の押し込みストローク、すなわち、操作部１４３を下方向に押し込むことができる深さは、係合部材１４１が帯歯１３０と係合しているときの係合部材１４１の下面と水平部１１１の上面との距離に等しい。なお、操作部１４３は可動側脚部１２６の表面側に配置されてもよく、スライド係止／解除手段１４０は、操作部１４３を水平方向に沿って押し込むことにより係合部材１４１が水平方向に沿って移動するように構成されていてもよい。
【００４９】
係合部材１４１の案内孔１４２にはガイド棒１４７が通されており、ガイド棒１４７は案内孔１４２の周壁面に摺接しているので、操作部１４３が押し込まれて係合部材１４１が下方向に移動するとき、係合部材１４１はがたつきにくい。
【００５０】
図９に示すように、下面が平坦に形成されているロック部材１４６をスライドさせて、ロック部材１４６のロック部１４６ｂが操作部１４３と固定プレート１５２との間に挟まれるようにすることによって、使用者は操作部１４３を下方向に押し込むことができなくなる。ロック部１４６ｂの厚みＤを操作部１４３の押し込みストロークと等しい大きさにすることによって、ロック部１４６ｂが操作部１４３と固定プレート１５２との間に挟まれているときに操作部１４３が押し込まれないようにすることができる。
【００５１】
以上のように構成される浴槽用手摺り１の使用方法について説明する。
【００５２】
浴槽の側壁に浴槽用手摺り１を取り付けるときには、まず、固定フレーム１１０と可動フレーム１２０が組み合され、固定押圧板１０４と可動押圧板１０５との間隔が浴槽の側壁の厚みよりも広くされた状態で、本体１００が浴槽の側壁上に配置される。本体１００は、固定フレーム１１０の水平部１１１の下面が浴槽の側壁の上面に接触し、固定押圧板１０４が浴槽の外側の側壁面（浴槽の側壁の外側面）に対向するように配置される。本体１００は、可動押圧板１０５が浴槽の内側の側壁面（浴槽の側壁の内側面）に対向するように配置される。
【００５３】
次に、使用者が本体１００の側部グリップ１６０を保持して、可動フレーム１２０の水平部１２１を、固定フレーム１１０の水平部１１１上で、浴槽の側壁面に直交する方向に沿ってスライドさせる。このとき、可動フレーム１２０の帯歯１３０の傾斜面１３０ａが係合部材１４１の傾斜面１４１ａ上を滑るので、使用者は、帯歯１３０と係合部材１４１の係合を解除するためにスライド係止／解除手段１４０の操作部１４３を操作する必要はない。このようにして、固定押圧板１０４が浴槽の側壁の外側面に接触し、可動押圧板１０５が浴槽の側壁の内側面に接触するように、固定フレーム１１０と可動フレーム１２０の位置を調整する。
【００５４】
帯歯１３０と係合部材１４１には、それぞれ、多数の歯または突起が形成されている。係合部材１４１のどの突起と、帯歯１３０のどの歯とを嵌合させるのかを変更することによって、係合部材１４１と帯歯１３０とが嵌合する長さを調節することができる。
【００５５】
使用者は、必要があれば、ハンドルノブ１０７を回して、固定押圧板１０４と可動押圧板１０５とが浴槽の側壁に完全に接触するように、微調整することができる。このようにすることにより、浴槽用手摺り１を浴槽の側壁上に強固に固定することができる。
【００５６】
使用者は、最後に、ロック部材１４６のロック部１４６ｂが操作部１４３と固定プレート１５２との間に挿入されるように、ロック部材１４６を本体１００内に押し込む。このようにすることにより、浴槽用手摺り１の使用中に誤って操作部１４３が押し込まれて、可動フレーム１２０がスライドすることを防ぐことができる。
【００５７】
操作部１４３がロックされている状態では、上述のように、係合部材１４１の突起と帯歯１３０とが係合している。このとき、帯歯１３０の傾斜面１３０ａと係合部材１４１の傾斜面１４１ａとが対向し、帯歯１３０の鉛直面１３０ｂと係合部材１４１の鉛直面１４１ｂとが対向している。そのため、使用者が、可動押圧板１０５を浴槽の側壁から遠ざけるように可動フレーム１２０に力を加えても、鉛直面１３０ｂと鉛直面１４１ｂとが互いに押しつけられるので、可動フレーム１２０はスライドされない。
【００５８】
浴槽から浴槽用手摺り１を取り外すときには、使用者は、まず、ロック部材１４６を本体１００から引き出す方向に引く。このようにすることにより、ロック部材１４６のロック部１４６ｂが操作部１４３と固定プレート１５２との間から引き抜かれる。操作部１４３と固定プレート１５２との間には、相対的に厚みの小さいロック解除部１４６ｃが配置される。次に、本体１００のカバー１０１上面に露出している操作部１４３の中央部１４３ａを下向きに押しながら、側部グリップ１６０を保持して可動フレーム１２０を本体１００から引き出すようにスライドさせる。操作部１４３の中央部１４３ａが下向きに押し込まれることによって、係合部材１４１が室１７０内で帯歯１３０から離れる方向に移動する。このようにして、帯歯１３０と係合部材１４１の係合が解除され、可動フレーム１２０が容易にスライドされる。固定押圧板１０４と可動押圧板１０５との間隔が浴槽の側壁の厚みよりも広くなると、浴槽用手摺り１は浴槽の側壁から取り外される。
【００５９】
以上のように、浴槽用手摺り１は、固定フレーム１１０と、可動フレーム１２０と、帯歯１３０と、スライド係止／解除手段１４０と、室１７０とを備える。
【００６０】
固定フレーム１１０は、浴槽の側壁に配置される。可動フレーム１２０は、固定フレーム１１０へスライド可能に取り付けられ、そして固定フレーム１１０と反対側の浴槽の側壁に配置される。帯歯１３０は、凹部又は凸部を含み、可動フレーム１２０の水平部１２１の裏面１２４に形成されている。
【００６１】
スライド係止／解除手段１４０は、係合部材１４１と、操作部１４３と、連結部１４４と、バネ１４５とを含む。係合部材１４１は、凸部又は凹部を含み、帯歯１３０と対向する位置に配置される。操作部１４３は、可動フレーム１２０の表面１２３側に配置されて使用者が操作するためのものである。連結部１４４は、係合部材１４１と操作部１４３とを連結するものである。バネ１４５は、係合部材１４１を帯歯１３０へ係合させるように付勢するものである。スライド係止／解除手段１４０は、操作部１４３がバネ１４５による付勢に抗して可動フレーム１２０に向かって押し込まれるときに係合部材１４１が帯歯１３０から離間されるように構成されている。スライド係止／解除手段１４０は、固定フレーム１１０に取り付けられている。
【００６２】
室１７０は、少なくとも、操作部１４３がバネ１４５に抗して押し込まれることにより帯歯１３０から離間された係合部材１４１が収容される空間である。なお、この実施形態においては、室１７０は、係合部材１４１が帯歯１３０から離間されるときだけでなく、係合部材１４１が帯歯１３０に係合されているときにおいても、係合部材１３０を収容する。
【００６３】
帯歯１３０の凹部又は凸部、または係合部材１４１の凸部又は凹部には、可動フレーム１２０の前進を許可する傾斜面１３０ａと傾斜面１４１ａが形成されている。
【００６４】
係合部材１４１は、バネ１４５によって、帯歯１３０へ係合されるように付勢されている。使用者が、操作部１４３を操作して、バネ１４５による付勢に抗してスライド係止／解除手段１４０を押し込むと、係合部材１４１が帯歯１３０から離間される。上述のように、係合部材１４１は、帯歯１３０から離間されたときにも室１７０内に収容されている。
【００６５】
スライド係止／解除手段１４０の係合部材１４１は、帯歯１３０と係合するように、すなわち、可動フレーム１２０の裏面１２４と固定フレーム１１０との間に配置されている。係合部材１４１は、連結部１４４によって可動フレーム１２０の表面１２３側に配置された操作部１４３と連結されているので、使用者は可動フレーム１２０の表面１２３側から操作部１４３を操作して、可動フレーム１２０の裏面１２４側の係合部材１４１を帯歯１３０から離間することができる。このようにして、帯歯１３０または係合部材１４１に使用者が触れることを防ぐことができる。
【００６６】
また、帯歯１３０の凹部又は凸部、または係合部材１４１の凸部又は凹部の少なくとも一方には、可動フレーム１２０の前進を許可する傾斜面１３０ａと傾斜面１４１ａが形成されているので、可動フレーム１２０を容易に浴槽壁面に近付けることができる。
【００６７】
このようにすることにより、浴槽の側壁の厚みに合わせて固定することが容易であって、浴槽の側壁への取り付け作業と浴槽の側壁からの取り外し作業とを安全に、容易に行うことが可能な浴槽用手摺り１を提供することができる。
【００６８】
また、浴槽用手摺り１においては、帯歯１３０には鉛直面１３０ｂが形成され、係合部材１４１には鉛直面１４１ｂが形成されている。鉛直面１３０ｂと鉛直面１４１ｂは、可動フレーム１２０の後退を不可能にする。
【００６９】
このようにすることにより、可動フレーム１２０を前進させた状態を維持することができ、浴槽用手摺り１を確実に浴槽の側壁に固定することができる。
【００７０】
また、浴槽用手摺り１においては、可動フレーム１２０は、表面１２３と裏面１２４を貫通してスライド方向に延びたスリット１２５を備える。連結部１４４は、スリット１２５を通って係合部材１４１と操作部１４３とを連結する。
【００７１】
このようにすることにより、可動フレーム１２０の表面１２３側に配置される操作部１４３と、可動フレーム１２０の裏面１２４側に配置される係合部材１４１とを連結部１４４によって連結することが容易になる。
【００７２】
浴槽用手摺り１においては、スリット１２５は、その周縁が閉じている開口である。
【００７３】
このようにすることにより、可動フレーム１２０をスライドさせると、連結部１４４は相対的に、スリット１２５の周縁の内側で移動することとなり、固定フレーム１１０上における可動フレーム１２０のスライド範囲を規制することができる。
【００７４】
また、浴槽用手摺り１は、案内手段として補強リブ１５１と固定プレート１５２を備える。補強リブ１５１は、可動フレーム１２０のスライド方向と平行に、且つ、可動フレーム１２０と摺接するように配置されるものである。そして、補強リブ１５１と固定プレート１５２は、可動フレーム１２０のスライド方向を一方向に規制するためのものである。
【００７５】
このようにすることにより、固定フレーム１１０上における可動フレーム１２０の位置を容易に決めることができる。
【００７６】
また、浴槽用手摺り１においては、案内手段は、固定フレーム１１０との間で可動フレーム１２０を挟み込む固定プレート１５２を含む。
【００７７】
このようにすることにより、簡単な構成で、可動フレーム１２０が固定フレーム１１０上で浮きにくいようにすることができる。
【００７８】
また、浴槽用手摺り１においては、案内手段は、固定フレーム１１０の上面に沿って延びた補強リブ１５１を形成している。補強リブ１５１は、可動フレーム１２０をその両側面から挟み込むように少なくとも２以上配置されている。
【００７９】
このようにすることにより、簡単な構成で、可動フレーム１２０の位置を容易に決めることができるとともに、可動フレーム１２０への左右方向の荷重に対する強度が向上する。
【００８０】
また、浴槽用手摺り１においては、スライド係止／解除手段１４０は、操作部１４３と係合部材１４１との間に、係合部材１４１と帯歯１３０との係合を固定化するロック部材１４６をさらに含む。
【００８１】
このようにすることにより、浴槽用手摺り１の使用中に誤って操作部１４３が押し込まれて、可動フレーム１２０がスライドしてしまうことを防ぐことができる。
【００８２】
また、浴槽用手摺り１においては、ロック部材１４６は、少なくとも操作部１４３の押し込み可能ストロークに相当する厚みＤを有するロック部１４６ｂを含む。
【００８３】
このようにすることにより、ロック部材１４６のロック部１４６ｂを操作部１４３と可動フレーム１２０の表面１２３との間に挟むことによって、操作部１４３が使用者によって押し込まれることを防ぐことができる。
【００８４】
また、浴槽用手摺り１においては、スライド係止／解除手段１４０は、係合部材１４１と摺接して係合部材１４１の移動方向を規制するガイド棒１４７を備える。ガイド棒１４７は棒形状である。また、係合部材１４１はガイド棒１４７を通過させる案内孔１４２を有する。
【００８５】
このようにすることにより、係合部材１４１のがたつきを防ぐことができ、係合部材１４１を正確に帯歯１３０に係合させることができる。
【００８６】
また、浴槽用手摺り１においては、可動フレーム１２０は、スライド方向に直交する方向に沿って帯歯１３０を挟んで配置される可動側脚部１２６を含む。室１７０は、可動フレーム１２０において帯歯１３０が形成されている面と、可動側脚部１２６と、固定フレーム１１０において帯歯１３０に対向する面とによって囲まれている。
【００８７】
このようにすることにより、簡単な構成で室１７０を形成することができる。
【００８８】
なお、第１実施形態の浴槽用手摺り１においては、案内手段は補強リブ１５１と固定プレート１５２とを含むが、案内手段は、補強リブ１５１と固定プレート１５２とを含まず、例えば筒体によって形成されていてもよい。案内手段を筒体として形成する場合には、筒体の内部に可動フレーム１２０の表面１２３と摺接する案内通路を形成する。可動フレーム１２０は筒体の内部でスライドされる。このようにすることにより、簡単な構成で、固定フレーム１１０上における可動フレーム１２０の位置を容易に決めることができる。
【００８９】
また、浴槽用手摺り１においては、第１の係合部および第２の係合部の凹部は、断面略台形状の凹部として形成される代わりに、底のないくぼんだ孔部として形成されていてもよい。
【００９０】
（第２実施形態）
第２実施形態の浴槽用手摺りの主な構成は、第１実施形態の浴槽用手摺りと同様である。第２実施形態の浴槽用手摺りは、第１実施形態の浴槽用手摺りとは、可動フレームの水平部の形状と補強リブの形状が異なる。
【００９１】
図１０に示すように、第２実施形態の可動フレームの水平部２２１に形成される可動側脚部２２６の側面には、側面から突出する突起２２７が形成されている。また、案内手段として補強リブ２５１において水平部２２１の側面と摺接する面には、溝２５２が形成されている。可動フレームの水平部２２１の突起２２７は、補強リブ２５１の溝２５２内に収容される。突起２２７の周囲は、溝２５２の内壁面に摺接する。可動フレームがスライドさせられると、突起２２７が溝２５２に沿って移動する。このようにすることにより、補強リブ２５１によって可動フレームのスライド方向を一方向に規制することが容易になる。
【００９２】
第２実施形態では、室２７０は、可動フレームの裏面２２４（水平部２２１の裏面と可動側脚部２２６の裏面とを含む）と、固定フレームの水平部１１１の上面とによって形成されている。
【００９３】
以上のように、第２実施形態の浴槽用手摺りにおいては、補強リブ２５１は、可動フレーム１２０との摺接面に溝２５２を備え、可動フレーム１２０は、補強リブ２５１との摺接面に突起２２７を備える。
【００９４】
このようにすることにより、可動フレーム１２０が固定フレーム１１０上で浮きにくいようにすることができ、可動フレーム１２０への上下方向の荷重に対する強度が向上する。なお、この実施形態において、固定プレート１５２はなくてもよい。
【００９５】
第２実施形態の浴槽用手摺りのその他の構成と効果は第１実施形態の浴槽用手摺りと同様である。
【００９６】
（第３実施形態）
第３実施形態の浴槽用手摺りの主な構成は、第１実施形態の浴槽用手摺りと同様である。第３実施形態の浴槽用手摺りは、第１実施形態の浴槽用手摺りとは、可動フレームの水平部の形状と固定フレームの水平部の形状が異なる。
【００９７】
図１１に示すように、第３実施形態の可動フレームの水平部３２１には、可動側脚部１２６（図７）が形成されていない。水平部３２１は、ほぼ平坦な板状に形成されている。固定フレームの水平部３１１の上面には、可動フレームの水平部３２１と対向する領域に、水平部３１１の上表面から上向きに突出する固定側脚部３１３が形成されている。
【００９８】
可動フレームの水平部３２１は、上下方向には固定側脚部３１３と固定プレート１５２との間に挟まれ、水平方向には２本の補強リブ１５１の間に挟まれる。このようにすることにより、可動フレームのスライド方向を一方向に規制することが容易になる。
【００９９】
以上のように、第３実施形態の浴槽用手摺りにおいては、固定フレームは固定側脚部３１３を含む。固定側脚部３１３は、スライド方向に直交する方向に沿って、可動フレームの水平部３２１の裏面３２４に形成される帯歯を挟んで配置される。室３７０は、可動フレームの裏面３２４と、固定側脚部３１３と、固定フレームにおいて帯歯に対向する面とによって囲まれている。このようにすることにより、簡単な構成で室３７０を形成することができる。
【０１００】
第３実施形態の浴槽用手摺りのその他の構成と効果は第１実施形態の浴槽用手摺りと同様である。
【０１０１】
（第４実施形態）
第４実施形態の浴槽用手摺りの主な構成は、第１実施形態の浴槽用手摺りと同様である。第４実施形態の浴槽用手摺りは、第１実施形態の浴槽用手摺りとは、固定フレームの水平部の形状が異なる。
【０１０２】
図１２に示すように、第４実施形態の固定フレームの水平部４１１には、凹部４１３が形成されている。凹部４１３は、係合部材１４１に対向する領域に形成される。凹部４１３の内壁面と、可動フレームの裏面１２４（水平部１２１の裏面と可動側脚部１２６の裏面とを含む）と、固定フレームの水平部４１１の上面とによって室４７０が形成されている。このように、室４７０は、少なくとも、可動フレームの裏面１２４と、凹部４１３の壁とによって囲まれている。このようにすることにより、簡単な構成で室４７０を形成することができる。また、このようにすることにより、第１実施形態の室１７０と比較して、室４７０の高さを保ったままで可動側脚部１２６を短くすることができるので、相対的に操作部１４３を固定フレーム１１０に近づけることができ、浴槽用手摺りをコンパクトにすることができる。なお、可動側脚部１２６が形成されておらず、室４７０が、可動フレームにおいて帯歯が形成されている面と、凹部４１３の壁とによって形成されていてもよい。
【０１０３】
第４実施形態の浴槽用手摺りのその他の構成と効果は第１実施形態の浴槽用手摺りと同様である。
【０１０４】
以上に開示された実施の形態はすべての点で例示であって制限的なものではないと考慮されるべきである。本発明の範囲は、以上の説明ではなく、特許請求の範囲によって示され、特許請求の範囲と均等の意味および範囲内でのすべての変形を含むものである。
【符号の説明】
【０１０５】
１：浴槽用手摺り、１１０：固定フレーム、１１１，３１１，４１１：水平部、１１２：鉛直部、１２０：可動フレーム、１２１，２２１，３２１：水平部、１２２：鉛直部、１２３：表面、１２４，２２４，３２４：裏面、１２５：スリット、１２６，２２６：可動側脚部、１３０：帯歯、１４０：スライド係止／解除手段、１４１：係合部材、１４２：案内孔、１４３：操作部、１４４：連結部、１４５：バネ、１４６：ロック部材、１４６ｂ：ロック部、１４７：ガイド棒、１５１，２５１：補強リブ、１５２：固定プレート、１７０，２７０，３７０，４７０：室、２２７：突起、２５２：溝、３１３：固定側脚部、４１３：凹部。
【図１】
0005646783.tif 000002
【図２】
0005646783.tif 000003
【図３】
0005646783.tif 000004
【図４】
0005646783.tif 000005
【図５】
0005646783.tif 000006
【図６】
0005646783.tif 000007
【図７】
0005646783.tif 000008
【図８】
0005646783.tif 000009
【図９】
0005646783.tif 000010
【図１０】
0005646783.tif 000011
【図１１】
0005646783.tif 000012
【図１２】
0005646783.tif 000013